(57)【要約】【課題】  架設電線の電柱への支持を容易且つ効率的な作業で行うことができ、更に、安全性にも優れる電線支持体を提供すること。【解決手段】  アーム部１２は、基端部１２ａが固定部（１４、１６）にて電柱１００に取り付け固定された状態で、内側に空間を形成するように上下方向に巻回されつつ延伸した形状を有し、支持される電線２００相互の必要間隔を確保できる位置毎に電線２００の係止手段である支持金具（２２）が設けられている。この構成により、アーム部１２は巻回の軌跡形状の如何は問わないが少なくとも輪を描くように延伸することとなり、複数の電線が２次元的な広がりをもって、支持される。これにより、複数の電線２００の支持箇所の電柱１００からの離反距離を抑制することができる。【選択図】図１
2009290964.tif 000002
【特許請求の範囲】
【請求項１】
架設電線を所定間隔を開けて支持するために、電柱に該電柱から突出する状態で取付固定される所定長さのアーム部と、該アーム部を前記電柱に固定する固定部と、を有する電線支持体において、
前記アーム部は、
前記取付固定された状態で、内側に空間を形成するように上下方向に巻回されつつ延伸する形状を有し、所定間隔毎に前記電線の係止手段が設けられたことを特徴とする電線支持体。
【請求項２】
前記係止手段は、
前記巻回されたアーム部の内側にて前記電線を支持するように構成されたことを特徴とする請求項１に記載の電線支持体。
【請求項３】
前記アーム部は、
前記取付固定された状態で、前記電柱への固定側の基端部から上方に略円弧を描くように延伸し、先端部が下方から前記基端部の近傍まで伸長し、全体として一部開放された略リング状をなす形状とされたことを特徴とする請求項１又は２の何れか１項に記載の電線支持体。
【請求項４】
前記アーム部は、
前記取付固定された状態で、まず前記基端部から所定長さ略水平方向に伸長する直線部と、該直線部の先から下方へ向けて略円弧を描くように延伸し、先端部が下方から前記基端部近傍位置まで伸長して一部開放された略リング状部と、を有する形状とされたことを特徴とする請求項１又は２の何れか１項に記載の電線支持体。
【請求項５】
前記アーム部は、
前記先端部が前記基端部近傍位置から更に前記略リング状部分の略中心方向へ延伸した形状を有することを特徴とする請求項３又は４の何れか１項に記載の電線支持体。
【請求項６】
前記アーム部は、
前記先端部が前記基端部近傍位置から更に前記略リング状部分の内方へ漸次巻回径を小さくするように延伸した渦巻き形状を有することを特徴とする請求項４又は５の何れか１項に記載の電線支持体。
【請求項７】
前記固定部は、前記基端部を収容保持する保持部と、該保持部の前記電柱側端部に前記電柱への取付状態における下方に膨出し且つ前記取付状態にて前記電柱に当接される膨出支持部と、を有することを特徴とする請求項１から６の何れか１項に記載の電線支持体。
【発明の詳細な説明】
【技術分野】
【０００１】
本発明は電線支持体、特に、架設電線を電柱により所定間隔を空けて支持するために、電柱に取付け固定される電線支持体に関するものである。
【背景技術】
【０００２】
図８及び図９は、サイズの異なる従来の電線支持体の例を示している。図８に示した電線支持体は、電柱１００から約７５０ｍｍだけアーム部（通常「腕金」と称されている）が突出する例、図９は、約１２００ｍｍだけアーム部が突出する例が示されている。また、各図（Ａ）は概略水平断面図、各図（Ｂ）は部分側面図である。
【０００３】
図８の電線支持体８０は、アーム部８１と固定部であるバンド部８２及び保持部８３を有している。アーム部８１は保持部８３にその基端側で保持されており、本例では、アーム部８１の基端部８１ａが保持部８３に挟持され、ボルト８４にて挟持状態が維持されるよう固定されている。また、保持部８３はバンド部８２によって電柱１００に固定されており、バンド部８２は電柱１００に両側から巻回され他端部でボルト８６にて締結されている。なお、保持部８３の設置状態における下側には、その一方の辺が電柱１００に当接されて保持部８３による電線支持を補強する支持補強部８３ａが形成されている（同図（Ｂ）参照乞う）。
【０００４】
この構成により、アーム部８１は電柱１００にしっかりと固定されて状態となっており、３本の電線（図示せず）を支える構成を有している。すなわち、約７５０ｍｍの長さを有するアーム部８１には取付用孔８５が３箇所に形成されており、電柱１００から第１の取付用孔８５−１までの間隔Ｌ１が約３２５ｍｍ、第１の取付用孔８５−１から第２の取付用孔８５−２までの間隔Ｌ２、及び第２の取付用孔８５−２から第３の取付用孔８５−３までの間隔Ｌ２、Ｌ３はそれぞれ約２００ｍｍである。なお、第３の取付用孔８５−３からアーム部８１の他端までの間隔Ｌ４は約２５ｍｍである。この取付用孔８５のそれぞれに取付金具を取り付け、例えば、アーム部８１の下側で、その取り付け金具によって架設電線を支持するものである。
【０００５】
図９に示した電線支持体９０は、図８の電線支持体８０とほぼ同様の構成を有しており、同様の要素には同一の符号を付し、その詳細な説明は省略する。図８の電線支持体８０と異なる点は、アーム部９１によって５本の架設電線を支持するように構成されていることであり、所定間隔おきに５個の取付用孔９２−１〜９２−５が形成されている。それら、取付用孔９２−１〜９２−５の形成間隔も図８の例とほぼ同様である。
【０００６】
図１０は、他の公知技術の構成例を示している。図示のように、電柱１００によって６本の架設電線を支持するための６個の支持部が設けられている。上述したアーム部は２本（符号１０２，１０４）設置されており、各アーム部１０２，１０４にそれぞれ２箇所ずつ電線支持用の金具１０６−１，１０６−２と１０８−１，１０８−２が取り付けられ、アーム部１０２，１０４の下側で電線を支持するように構成されている。
【０００７】
また、更に他の２本の電線は、電柱１００に直接、柱取付けバンド部材１１０，１１２を取り付け、この柱取付けバンド部材１１０，１１２に設けられた支持用の金具１１４，１１６によって支持される構成が取られている。
【０００８】
また、特許文献１には、電柱用槍出金具によって取り付けられる腕金の取付状態の安定化を図る技術が開示されており、「金具本体を複数個のバンド片で成るバンド体で締付け、金具本体に設けた腕金を電柱周面より突出させてこれに機器を取付けるように」している。そして、金具本体は、電柱周側に沿う屈曲形を有する基板を有しており、この基板の電柱周側方向の中央部の上部側に腕金の基端を固着し、腕金を電柱から突設させている。更に、金具本体は腕金の両側にそれぞれ上下一対の組付部片を有している。更に、金具本体の上下の組付部片とバンド片の基端に設けられ接続筒とに組付ボルトを貫通させて組付ナットで固定する構成が開示されている。
【０００９】
この様な構成により、金具本体の両側をバンド片で互いに反対方向に引張ることで、金具本体を電柱面に締付けて腕金を電柱面より突設することができる。そして、腕金の止着された金具本体の基板は電柱面に良好に密接した状態となり、電柱に対して安定した取付状態の腕金すなわち、槍出金具が得られている。
【００１０】
【特許文献１】特開２００３−３２４８３０
【発明の開示】
【発明が解決しようとする課題】
【００１１】
上記従来のアーム部を用いた架設電線の電柱における支持、また特許文献１に開示された様なアーム部（腕金）を有する金具の取り付けのためのバンド装置などによって、電柱による複数本の電線の支持が行われているが、以下のような課題が存在している。
【００１２】
まず、上記図８〜図１０に示したような直線状のアーム部を電柱から突出するように電柱に取り付ける場合、支持すべき電線の数が増加するに連れ電柱から突出する長さが大きくなる。すなわち、電線相互の間隔は、十分に確保されなければならず、上述のように、例えば５本の電線を支持する場合、約１,２００ｍｍの突出長さが必要となる。一方、電線の架設作業においては、作業員は何らかの手段によって電柱に登った状態で作業を行うことから、その電柱から離反する作業範囲は限られている。したがって、電線の架設作業の面からもアーム部を延ばすことの限界があり、また、長くなる程、電柱への取り付けの安定性を確保することも困難なものとなる。
【００１３】
更に、上記従来の直線的なアーム部の構成の場合、図１０に示されたように、各アーム部の下側にて電線が支持されている。この様な支持状態の場合、何らかの原因により、その支持状態が崩れ、電線が脱落した場合、電線はそのまま下方へ撓み、または、落下してしまうこともあり得る。
【００１４】
また、図１０に示したように、複数の高さ位置で電線を支持することで、電柱からの離反距離を抑制して複数の電線の支持を行うことも可能であるが、図からも理解されるように、支持部材を電柱に固定するために、多くの電柱への取り付け固定作業を行わなければならず、煩雑な作業を強いられることとなる。実際に、図１０の例では、上下方向に４箇所の支持部材やアーム部材の取り付けのための作業を行わなければならない。
【００１５】
特許文献１には、本体金具（アーム部を取り付けるための構造部）を安定して電柱に取り付けるための構成は開示されているが、比較的本数の多い電線を如何に簡単且つ確実、更に安全に取り付けるかについての示唆は行われていない。
【００１６】
本発明は、上記課題に鑑みてなされてものであり、その目的は、架設電線の電柱への支持を容易且つ効率的な作業で行うことができ、更に、安全性にも優れる電線支持体を提供することにある。
【課題を解決するための手段】
【００１７】
上記目的を達成するため、請求項１に係る電線支持体は、
架設された電線を所定間隔を開けて支持するために、電柱に該電柱から突出する状態で取付け固定される所定長さのアーム部と、該アーム部を前記電柱に固定する固定部と、を有する電線支持体において、前記アーム部は、基端部が前記固定部にて前記電柱に取り付け固定された状態で、内側に空間を形成するように上下方向に巻回されつつ延伸した形状を有し、支持される電線相互の必要間隔を確保できる位置毎に前記電線の係止手段が設けられたことを特徴とする。
【００１８】
この構成により、アーム部は巻回の軌跡形状の如何（例えば、円、多角形など）は問わないが少なくとも上下方向に輪を描くように延伸することとなる。すなわち、電線支持のベースとなるアーム部が上下左右に２次元的に広がりを持つこととなる。したがって、電線相互の必要離反間隔を確保できる位置毎にて、すなわち、例えば、絶縁状態を確保し且つ架設された電線が風等で揺れても互いに接触しない程度の間隔が空けられた状態で効率よく複数の電線の支持を行うことができる。これにより、直線状のアーム部に所定間隔毎に電線を支持する場合に比べ、巻回形状のアーム部を用いる方が、電柱からの離反距離を抑制して複数の電線の支持が可能となる。
【００１９】
すなわち、直線状のアーム部の場合、複数の電線の支持のためには１次元的に電線支持位置が広がるが、巻回状態のアーム部によれば、２次元的な広がりで電線の支持位置が確保される。したがって、同じ本数の電線の支持であれば確実に電柱からの支持位置の離反を抑制することができ、電線の電柱への架設作業の容易化が達成される。また、電柱からの作業によって支持することのできる電線の設置数の増加を達成することができる。
【００２０】
請求項２に係る電線支持体は、請求項１に係る電線支持体において、
前記係止手段が、前記巻回されたアーム部の内側にて前記電線を支持するように構成されたことを特徴とする。この構成により、支持された電線が何らかの状況によってアーム部から脱落した場合、巻回された状態のアーム部の内側に落下することとなる。したがって、従来の直線状のアーム部の下側に支持されていた電線のようにそのまま下方に落下することが防止され、安全性が向上する。
【００２１】
請求項３に係る電線支持体は、請求項１又は２の何れか１項に係る電線支持体において、
前記アーム部が、前記固定状態にて、前記電柱への固定側の基端部から上方に略円弧を描くように延伸し、先端部が下方から前記基端部の近傍まで伸長し、全体として一部開放された略リング状をなす形状とされたことを特徴とする。
【００２２】
この構成によれば、巻回状態のアーム部は、略リング状（略円形状）となっている。したがって、同じ複数本の電線を支持する場合、電柱からの離反距離は、従来の直線状のアーム部の場合に比し、３分の１以下となり、設置作業の容易化が図られる。また、アーム部の先端部は巻回されて前記基端部の「近傍」まで伸長しており、完全に基端部に当接された状態にはなく、リング形状はその先端部の部分で開放された状態となっている。すなわち、リング形状は閉ループではなく、したがって、その開き部分からリング内への電線の移動が可能であり、リング形状内での電線の支持作業も簡単に行うことができる。
【００２３】
請求項４に係る電線支持体は、請求項１又は２の何れか１項に係る電線支持体において、
前記アーム部が、前記固定状態にて、まず前記基端部から所定長さ略水平方向に伸長する直線部と、該直線部の先から下方へ向けて略円弧を描くように延伸し、先端部が下方から前記基端部近傍位置まで伸長して一部開放された略リング状部と、を有する形状とされたことを特徴とする。
【００２４】
この構成によれば、アーム部の基端部は略直線状に伸長する直線部を有しているので、電柱への安定した取付固定作業を比較的容易に行うことができる。すなわち、リング状部分を有していながら、電柱へ固定する部分では直線状の部分に対しての固定作業を行えば足り、アーム部のより安定した固定状態を得ることができ、また、固定部による固定作業も容易である。
【００２５】
請求項５に係る電線支持体は、請求項３又は４の何れか１項に係る電線支持体において、
前記アーム部が、前記先端部が前記基端部近傍位置から更に前記略リング状部分の略中心方向へ延伸した形状を有することを特徴とする。この構成によれば、アーム部の先端部は、１周りしたリング形状の中心へ、更に伸びているので、その延伸した部分において、電線の支持が可能となり、更に、支持電線の数の増加を図ることができる。
【００２６】
請求項６に係る電線支持体は、請求項４又は５の何れか１項に係る電線支持体において、
前記アーム部が、前記先端部が前記基端部近傍位置から更に前記略リング状部分の内方へ漸次巻回径を小さくするように延伸した渦巻き形状を有することを特徴とする。この構成により、巻回されたアーム部の内側空間を無駄なく活用することができ、電柱からの突出長さを抑制しつつ効率的に多くの電線の支持を行うことができる。
【００２７】
請求項７に係る電線支持体は、請求項１から６の何れか１項に係る電線支持体において、
前記固定部が、前記基端部を収容保持する保持部と、該保持部の前記電柱側端部に前記電柱への取付状態における下方に膨出し且つ前記取付状態にて前記電柱に当接される膨出支持部とを有することを特徴とする。固定部に付加されるアーム部の重量は、電柱によって受けられるが、固定部の下部には膨出支持部が存在し、この膨出支持部を介して荷重が電柱に掛かることとなり、固定部によるアーム部の固定状態の安定化が図られている。
【発明の効果】
【００２８】
以上説明したように、本発明に係る電線支持体によれば、電線を１次元方向ではなく、２次元方向の広がりをもって支持することが可能となっており、取り付けられたアーム部の電柱から最も離れた位置までの距離（離反距離）が、同じである場合、従来の直線状のアーム部を有する電線支持体よりも多くの電線の支持を行うことができる。また、電線設置作業も電柱から近い距離範囲で行うこと後が可能であり、電線の架設作業における容易性や安全性も向上する。
【発明を実施するための最良の形態】
【００２９】
以下、本発明の実施形態に係る電線支持体を図面に基づいて詳細に説明する。図１は、本発明の実施の形態に係る電線支持体の構成例を示す説明図である。図示のように、電線支持体１０の主たる構成要素であるアーム部１２は、１周り巻回した外観形状を有している。すなわち、固定された状態において、基端部１２ａ側から内側に空間を形成するように上下方向に巻回されつつ延伸した形状を有しており、本実施の形態では、略リング形状（略円形）を有している。アーム部１２の先端部１２ｂは、基端部１２ａの近傍位置まで延伸しており、基端部１２ａが固定部によって電柱１００に取り付け固定されている。
【００３０】
固定部は、取り付けバンド１４を主たる構成要素として形成されており、本実施の形態では、２つの長さ調整可能なバンド片１４−１、１４−２（符号１４−２側は図上電柱の陰に隠れており、図示されていない）を電柱１００の他方側でボルト１５によって固定し、一方側でアーム部１２が取り付け固定されている。  図２は、本実施の形態におけるアーム部１２の取り付け構造を示しており、図示のように、アーム部１２の基端部１２ａに上下に２つの舌片１６−１，１６−２が設けられ、該舌片１６にはそれぞれ締結用孔１８が形成されている。そして、取付バンド片１４−１の一端側に形成された管状部１４ａが、２つの舌片１６−１、１６−２間に配置され、締結用孔１８と管状部１４ａにボルト２０が挿通され、締結固定される。この舌片１６は、アーム部１２の他方の側面にも形成されており（図示せず）、同じく取付バンド片１４−２の一端側に形成された管状部を用いてボルト等で締結固定される。すなわち、アーム部１２は取付バンド片１４−１と１４−２とによって両側から引っ張られた状態で電柱１００に安定して固定される。以上のように、固定部は、取り付けバンド１４及びアーム部１２側に設けられた舌片１６やボルトなどの締結部材によって構成されている。
【００３１】
図３は、リング状のアーム部１２による電線２００の支持構造を示している。図示のように、アーム部１２に形成した取付孔にＪ字型の支持金具２２を挿通し、ナット２４で締め付け固定するものであり、電線２００は支持金具２２の曲がり部分とアーム部１２との間に挟持される。図１から理解されるように、支持金具２２は、所定間隔毎に７箇所設置されており、それぞれにおいて１本の電線２００が支持されている。
【００３２】
また、アーム部１２の先端部１２ｂは、基端部１２ａの近傍まで伸長しているが、電線２００を通過させることのできる間隔（図上、隙間Ｘ）は基端部１２ａとの間に確保されており、この隙間Ｘを通過させてそれぞれの支持金具２２への電線２００の設置作業が行われるものである。
【００３３】
こうしてリング状アーム部１２に７本の電線２００が支持され、それぞれの電線２００は相互に必要な間隔が確保されている。すなわち、支持金具２２の取付箇所は、架設された電線２００相互間に架設状態における適切な距離を確保できるという条件の下に決定されている。例えば、絶縁状態を確保し且つ架設された電線が風等で揺れても互いに接触しない程度の間隔が空けられている。
【００３４】
また、従来の直線状のアーム部を用いて７本の電線を設置する場合に比べ、略円形のライン上に２次元的に設置することができるので、約３分の１の水平方向の幅内での設置が可能である。したがって、電柱１００からの電線２００の離反距離が抑制され、この様に多数の電線の架設作業においても電柱１００側からの電線の支持作業が容易なものとなる。
【００３５】
また、支持金具２２は、リング状のアーム部１２の内側にて電線２００を支持するように、アーム部１２に挿通されて設けられているので、支持された電線２００が何らかの状況によって支持金具２２から脱落した場合、リング状のアーム部１２の内側に落下することとなる。したがって、アーム部１２の外側に落下することがなく、修復作業が行われる間においても、通行人などへの影響を回避することができる。
【００３６】
次に、図４に基づいて、他の実施の形態について説明する。この実施の形態に係る電線支持体４０は、アーム部４２が、電柱１００への固定状態にて、まず基端部４２ａから略水平方向に伸長した直線部４２ｂを有している。そして、更に下方へ向けて略リング状に延伸し、先端部４０ｃは下方から基端部４２ａの近傍位置まで伸長している。
【００３７】
本実施の形態における固定部は、図１の実施の形態と同じく、取り付けバンド４４を主たる構成要素として形成されており、２つの長さ調整可能なバンド片４４−１、１４−２（符号４４−２側は図上電柱の陰に隠れており、図示されていない）を電柱１００の他方側でボルト４５によって固定し、一方側でアーム部４２が取り付け固定されている。
【００３８】
図５は、固定部へのアーム部４２の取付構造を示している。図示のように、まず、アーム部４２を保持するための保持金物４６が、取付バンド４４に取り付けられる。図示のように、保持金物４６は、筒状の収容部４７を有しており、この収容部４７の基端側に上下２つの舌片４８−１，４８−２が設けられ、該舌片４８にはそれぞれ締結用孔５０が形成されている。そして、取付バンド片４４−１の一端側に形成された管状部４４ａが、上下２つの舌片４８−１，４８−２間に配置され、締結用孔５０と管状部４４ａにボルト５２が挿通され、締結固定される。
【００３９】
図示していないが、もう一方の取付バンド片４４−２も同様の構成を有し、舌片４８の他方側に設けられた締結用孔５０にて締結固定される。これにより、保持金物４６は取付バンド片４４−１，１４−２によって両側から引っ張られた状態で電柱１００に安定して固定される。
【００４０】
そして、アーム部４２の基端部４２ａは、保持金物４６の収容部４７に挿入される。アーム部４２の基端部４２ａ及び保持金物４６の収容部４７のそれぞれには、アーム部４２の基端部４２ａが挿入された状態で対向する位置に固定用孔５４が形成されており、この固定用孔５４にそれぞれ、ボルト５６を挿通させて締結固定することで、アーム部４２は保持金物４６によってしっかりと保持されて状態となる。
【００４１】
また、保持金物４６には、収容部４７の取付状態における基端側底部に収容部４７の基端側へ向けて徐々に突出長さの長くなる膨出支持部４７ａが形成されている。上述のように、保持金物４６が電柱１００に取り付けられた状態では、アーム部４２の重量は、この保持金物４６を介して取付バンド４４と電柱１００に付加されるが、この膨出支持部４７ａの存在により、保持金物４６の電柱１００への接触面積は下方へ拡張されており、付加されるアーム部４２の重量をより安定して受け止めることが可能となっている。
【００４２】
本実施の形態のように、アーム部４２の基端部４２ａ側に直線部４２ｂを形成したことにより、リング状部分を有していながら、電柱１００へ固定する部分では直線状の部分に対しての固定作業を行えば足り、アーム部４２のより安定した固定状態を得ることができ、また、固定部による固定作業も容易である。
【００４３】
本実施の形態においてもアーム部４２のリング状部分には、７箇所にそれぞれ電線２００が支持されており、支持のための構造は図１における支持構造と同様であり、同一の符号を付してその説明を省略する。また、電線２００のリング状部分への差し入れや支持のための作業や、支持後の作用についても図１の実施の形態と同様である。
【００４４】
図６は、更に他の実施の形態の構成を示している。本実施の形態に係る電線支持体６０の特徴的なことは、アーム部６２の先端部６２ａがアーム部６２の基端部６２ｂの近傍から更に延伸し、リング状部分のほぼ中央位置まで伸長していることである。そして、その先端部６２ａにも支持金具２２が挿通取り付けされ、更に１本の電線が支持されている。この様に、電線２００間の適切な離間距離を確保することができる限り、２次元的広がりの中で多くの電線２００の架設が可能である。
【００４５】
図７は、図６の実施の形態の更なる変形例を示している。図示のように、本実施の形態に係る電線支持体７０は、アーム部７２が全体として渦巻き形状を有している。すなわち、先端部７２ａが基端部７２ｂの近傍位置から更に伸長し、略リング状部分の内方へその円弧の径を漸次小さくするように延伸している。そして、その渦巻き状の延伸部分にも所定間隔毎に支持金具２２が挿通取り付けされている。
【００４６】
取り付けられた複数の支持金具２２の相互の間隔は、何れの支持金具同士についても適切な離間距離が確保される。すなわち、渦巻き部分のラインの相互間隔を適切に確保し、且つ、支持金具２２の設置間隔も支持される電線２００間に的確な離反間隔が確保される様に設定される。この渦巻き型アーム部によれば、アーム部７２の内側に形成された空間を無駄なく活用することができ、電柱１００からの所定の離反距離の範囲内で効率的に多くの電線の支持を行うことが可能である。
【００４７】
なお、本発明は上記実施の形態の構成に限定されるものではなく、発明の要旨の範囲内で種々の変形が可能である。例えば、アーム部の巻回の形状は、実施の形態では略円形のものを示したが、これに限られず、略四角形や、略６角形などの多角形形状とすることも可能である。上記図７に示した実施の形態についても渦巻き形状の部分は、円弧状の渦形状に限定されるものではなく、例えば６角形等の多角形の基本形状で渦を巻くように形成することも可能である。
【図面の簡単な説明】
【００４８】
【図１】本発明の実施の形態に係る電線支持体の構成を示す説明図である。
【図２】図１の実施の形態における固定部の構造説明図である。
【図３】図１の実施の形態におけるアーム部の電線支持構造を示す説明図である。
【図４】本発明の他の実施の形態に係る電線支持体の構成を示す説明図である。
【図５】図４の実施の形態における固定部の構造説明図である。
【図６】本発明の更に実施の形態に係る電線支持体の構成を示す説明図である。
【図７】図６に示した実施の形態の更なる変形例に係る電線支持体の構成を示す説明図である。
【図８】（Ａ）及び（Ｂ）は、従来の電線支持体の構成を示す説明図であり、（Ａ）は概略水平断面図、（Ｂ）は部分側面図である。
【図９】（Ａ）及び（Ｂ）は、従来の電線支持体の構成を示す説明図であり、（Ａ）は概略水平断面図、（Ｂ）は部分側面図である。
【図１０】従来の電線支持体の構成を示す説明図である。
【符号の説明】
【００４９】
１０、４０、６０、７０  電線支持体
１２、４２、６２、７２  アーム部
１４、４４、６４  取付バンド部
２２  支持金具
４６  保持金物
２００  電線
Ｘ  隙間
【図１】
2009290964.tif 000003
【図２】
2009290964.tif 000004
【図３】
2009290964.tif 000005
【図４】
2009290964.tif 000006
【図５】
2009290964.tif 000007
【図６】
2009290964.tif 000008
【図７】
2009290964.tif 000009
【図８】
2009290964.tif 000010
【図９】
2009290964.tif 000011
【図１０】
2009290964.tif 000012